(57)【要約】【課題】ユーザの学習効率を向上させる。【解決手段】電子辞書１は、単語を登録するとともに、撮像された撮像画像を取得するＣＰＵ４０と、前記撮像画像を表示するメインディスプレイ２とを、備える。ＣＰＵ４０は、前記撮像画像のなかから登録済みの単語を検出し、前記撮像画像をメインディスプレイ２に表示させる際に、検出した単語の部分を識別可能な状態で表示させる。【選択図】図２
2016062307.tif 000002
【特許請求の範囲】
【請求項１】
単語を登録する登録手段と、
撮像された撮像画像を取得する取得手段と、
前記撮像画像を表示する表示手段と、
前記撮像画像のなかから前記登録手段により登録済みの単語を検出する検出手段と、
前記撮像画像を前記表示手段に表示させる際に、前記検出手段により検出された単語の部分を識別可能な状態で表示させる表示制御手段と、
を備えることを特徴とする情報表示装置。
【請求項２】
請求項１に記載の情報表示装置において、
前記表示制御手段が、
前記検出手段により検出された単語の一部を虫食い状にマスクした状態で、前記撮影画像を表示させることを特徴とする情報表示装置。
【請求項３】
請求項１に記載の情報表示装置において、
前記表示制御手段が、
前記検出手段により検出された単語を含む文字列を認識し、前記検出手段により検出された単語の部分を識別可能な状態で、前記文字列を表示させることを特徴とする情報表示装置。
【請求項４】
請求項３に記載の情報表示装置において、
前記登録手段が、
前記文字列を登録することを特徴とする情報表示装置。
【請求項５】
請求項４に記載の情報表示装置において、
前記表示制御手段が、
前記登録手段により登録された前記文字列を表示させる際に、当該文字列における前記検出手段により検出された単語の部分を空欄とした状態で表示させることを特徴とする情報表示装置。
【請求項６】
請求項１〜５のいずれか一項に記載の情報表示装置において、
当該情報表示装置に対し一体または別体の撮像手段を備え、
前記取得手段が、前記撮像手段により撮像された撮像画像を取得することを特徴とする情報表示装置。
【請求項７】
請求項６に記載の情報表示装置において、
前記表示制御手段が、
前記撮像手段により撮像された前記撮像画像を、静止画として表示させるか、またはライブビュー表示させることを特徴とする情報表示装置。
【請求項８】
撮像された撮像画像を表示する表示手段を備えるコンピュータに、
単語を登録する登録機能と、
前記撮像画像を取得する取得機能と、
前記撮像画像のなかから前記登録機能により登録済みの単語を検出する検出機能と、
前記撮像画像を前記表示手段に表示させる際に、前記検出機能により検出された単語の部分を識別可能な状態で表示させる表示制御機能と、
を実現させることを特徴とする情報表示プログラム。
【請求項９】
撮像された撮像画像を表示する表示手段を備えるコンピュータを用いた情報表示方法において、
単語を登録する登録工程と、
前記撮像画像を取得する取得工程と、
前記撮像画像のなかから前記登録工程で登録済みの単語を検出する検出工程と、
前記撮像画像を前記表示手段に表示させる際に、前記検出工程により検出された単語の部分を識別可能な状態で表示させる表示制御工程と、
を備えることを特徴とする情報表示方法。
【発明の詳細な説明】
【技術分野】
【０００１】
本発明は情報表示装置、情報表示プログラムおよび情報表示方法に関する。
【背景技術】
【０００２】
従来から、電子辞書などの情報表示装置では、単語（見出し語）とその説明情報とを対応付けて記憶する辞書データベースが備えられ、入力された文字に対応する単語の説明情報が辞書データベースから読み出され、単語と説明情報とが表示される。
かかる情報表示装置では近年、いわゆる単語帳機能が標準的に備えられている。「単語帳機能」とは、説明情報の表示された単語（見出し語）を、ユーザ操作に基づいて検索元の辞書データベースの種類別に登録しておき、復習を容易化する機能である（たとえば特許文献１参照）。
特に特許文献１の情報表示装置では、ユーザにより指定された単語が登録済みの場合に、その指定された単語と、登録済みの単語とをグループ化して登録し、単語帳機能の使い勝手を向上させようとしている。
【先行技術文献】
【特許文献】
【０００３】
【特許文献１】特許第４８３５１２６号公報
【発明の概要】
【発明が解決しようとする課題】
【０００４】
しかしながら、単語帳機能の使い勝手が向上しても、その機能は情報表示装置のなかでしか有効に発揮することができず、現在のところ、たとえば教科書などの印刷物と併用されユーザの学習効率を向上させるというところにまでは至っていない。
したがって、本発明の主な目的はユーザの学習効率を向上させることができる情報表示装置を提供することにある。
【課題を解決するための手段】
【０００５】
上記課題を解決するため、本発明によれば、
単語を登録する登録手段と、
撮像された撮像画像を取得する取得手段と、
前記撮像画像を表示する表示手段と、
前記撮像画像のなかから前記登録手段により登録済みの単語を検出する検出手段と、
前記撮像画像を前記表示手段に表示させる際に、前記検出手段により検出された単語の部分を識別可能な状態で表示させる表示制御手段と、
を備えることを特徴とする情報表示装置が提供される。
【発明の効果】
【０００６】
本発明によれば、ユーザの学習効率を向上させることができる。
【図面の簡単な説明】
【０００７】
【図１】電子辞書の概略構成を示す平面図である。
【図２】電子辞書の制御回路を概略的に示すブロック図である。
【図３】情報表示処理の経時的な流れを示すフローチャートである。
【図４】電子辞書の動作例を説明するための図である。
【図５】第２の実施形態にかかる情報表示処理の経時的な流れを示すフローチャートである。
【図６】図５の後続処理の経時的な流れを示すフローチャートである。
【図７】第２の実施形態にかかる電子辞書の動作例を説明するための図である。
【発明を実施するための形態】
【０００８】
以下、図面を参照しながら本発明にかかる情報表示装置を電子辞書に適用した好ましい実施形態について説明する。
【０００９】
［第１の実施形態］
始めに、電子辞書の外観構成および内部構成について説明する。
［外観構成］
図１に示すとおり、電子辞書１は主にメインディスプレイ２、サブディスプレイ４、キー群６、カメラ８などを備えている。
【００１０】
メインディスプレイ２およびサブディスプレイ４は、ユーザによるキー群６の操作に応じた文字や符号など、各種データを表示する部分である。
メインディスプレイ２およびサブディスプレイ４は、ＬＣＤ（Liquid Crystal Display）やＥＬＤ（Electronic Luminescence Display）などによって構成されている。
メインディスプレイ２およびサブディスプレイ４は、いわゆるタッチパネル２２（図２参照）と一体的に形成されており、手書き入力などの操作を受け付け可能となっている。
【００１１】
キー群６は、ユーザから電子辞書１を操作するための操作を受ける各種キーを有している。
キー群６は、文字キー６ａ、カーソルキー６ｂ、訳／決定キー６ｃ、辞書選択キー６ｄ、学習帳キー６ｅ、キャプチャーキー６ｆなどを有している。
【００１２】
文字キー６ａは、ユーザによる文字の入力などに使用されるキーである。
カーソルキー６ｂは、画面内の反転表示位置、つまりカーソル位置の移動などに使用されるキーであり、上下左右の方向を指定可能となっている。
訳／決定キー６ｃは、検索の実行や見出し語の決定などに使用されるキーである。
辞書選択キー６ｄは、後述の辞書データベース５５（図２参照）の選択に使用されるキーである。
学習帳キー６ｅは、暗記カードを用いた自学自習の際に使用されるキーである。
キャプチャーキー６ｆは、カメラ８で撮像された撮像画像を電子辞書１に取り込む際に使用されるキーである。
【００１３】
カメラ８は、電子辞書１に対し一体に構成され（内蔵され）、メインディスプレイ２の背面に配置された対象物を撮像可能となっている。
【００１４】
［内部構成］
図２に示すとおり、電子辞書１は主に表示部１０、入力部２０、撮像部３０、ＣＰＵ（Central Processing Unit）４０、フラッシュＲＯＭ（Read Only Memory）５０、ＲＡＭ（Random Access Memory）６０などを備え、各部がバス７０で相互にデータ通信可能に接続されている。
【００１５】
表示部１０は、メインディスプレイ２およびサブディスプレイ４を有している。
表示部１０は、ＣＰＵ４０から入力される表示信号に基づき、各種情報をメインディスプレイ２やサブディスプレイ４に表示するようになっている。
【００１６】
入力部２０は、キー群６およびタッチパネル２２を有している。
入力部２０は、押下されたキーやタッチパネル２２の位置に対応する信号をＣＰＵに出力するようになっている。
【００１７】
撮像部３０は、カメラ８を有している。
撮像部３０は、ＣＰＵ４０から入力される指示信号に基づき、カメラ８で対象物を撮像するようになっている。
【００１８】
ＣＰＵ４０は、入力される指示に応じて所定のプログラムに基づいた処理を実行し、各機能部への指示やデータの転送などを行い、電子辞書１を統括的に制御するようになっている。
具体的には、ＣＰＵ４０は、入力部２０から入力される操作信号などに応じてフラッシュＲＯＭ５０に格納された各種プログラムを読み出し、当該プログラムに従って処理を実行する。そして、ＣＰＵ４０は、処理結果をＲＡＭ６０に保存するとともに、当該処理結果を表示部１０に適宜出力させる。
【００１９】
フラッシュＲＯＭ５０は、電子辞書１の各種機能を実現するためのプログラムやデータを記憶するメモリである。
フラッシュＲＯＭ５０は、情報表示プログラム５２、辞書データベース群５４、学習用情報記憶テーブル群５６などを記憶している。
【００２０】
情報表示プログラム５２は、後述の情報表示処理（図３、図５〜図６参照）をＣＰＵ４０に実行させるためのプログラムである。
【００２１】
辞書データベース群５４は、複数の辞書データベース５５を有している。
本実施形態では、「国語辞典」の辞書データベース５５ａや「漢和辞典」の辞書データベース５５ｂ、「英和辞典」の辞書データベース５５ｃなどを有している。
これら辞書データベース５５には、単語（見出し語）とその単語の意味内容を含む説明情報とが対応付けされて複数格納されている。
【００２２】
学習用情報記憶テーブル群５６は、学習対象の単語を含む学習用情報を記憶する学習用情報記憶テーブルとして、単語帳テーブル５７、暗記カードテーブル５８などを有している。
【００２３】
単語帳テーブル５７は、学習対象の単語としてユーザから登録操作をされた単語（見出し語）と、出典元の辞書データベース５５の辞書名と、その辞書データベース５５における当該単語の説明情報とを、対応付けて蓄積記憶するようになっている。
暗記カードテーブル５８は、単語帳テーブル５７に登録済みの単語と、カメラ８で撮像された撮像画像から抽出したテキストであって登録済みの単語を含む一定の文字列とを、対応付けて蓄積記憶するようになっている。
【００２４】
ＲＡＭ６０は、ＣＰＵ４０が実行する各種プログラムや、これらプログラムの実行にかかるデータなどを一時的に保持するメモリである。
【００２５】
続いて、電子辞書１の情報表示処理（電子辞書１を用いた情報表示方法）および動作例を説明する。
【００２６】
［情報表示処理］
情報表示処理は、ＣＰＵ４０がフラッシュＲＯＭ５０の情報表示プログラム５２を読み出して実行する処理である。
情報表示処理では、始めに、図３に示すとおり、ＣＰＵ４０は、ユーザ操作を受けてユーザが登録しようとする単語を単語帳テーブル５７に登録する（ステップＳ１）。
たとえば、図１に示すとおり、ユーザが見出し語としてｐｅｎを入力しその説明情報がメインディスプレイ２に表示されると、サブディスプレイ４には単語帳登録ボタン４ａが表示される。かかる状態において、ユーザが単語帳登録ボタン４ａを押下すると、ＣＰＵ４０は、ユーザが登録しようとする単語のｐｅｎと、その出典元の英和辞典と、メインディスプレイ２に表示された説明情報とを対応付けて単語帳テーブル５７に蓄積記憶させ、単語のｐｅｎを単語帳テーブル５７に登録する。
【００２７】
その後、ＣＰＵ４０は、ユーザ操作を受けてカメラ８により撮像された撮像画像を取得する（ステップＳ２）。
なお、ステップＳ１とステップＳ２との間にはタイムラグがあってもよく、情報表示処理では通常、複数または多数の単語が単語帳テーブル５７に登録された状態で、ステップＳ２以降の処理が実行されることが想定される。
【００２８】
その後、ＣＰＵ４０は撮像画像に対しＯＣＲ（Optical Character Recognition）処理を実行し、撮像画像からテキストを抽出する（ステップＳ３）。
その後、ＣＰＵ４０はテキスト中において単語帳テーブル５７に登録済みの単語があるかどうかを判定し、テキストのなかから登録済みの単語を検出する処理を実行する（ステップＳ４）。
【００２９】
テキストのなかから登録済みの単語を検出した場合、ＣＰＵ４０は、検出した単語を識別する処理を実行する（ステップＳ５）。
「識別する」とは、当該単語を他の単語に対し識別可能にするという意味であり、当該単語を塗りつぶしてマスクしてもよいし、当該単語をディスプレイの地色と同じ（空白）としてもよいし、当該単語について文字の色とディスプレイの地色とを反転させてもよい。識別する対象は単語の一部のみであってもよいし、全部であってもよい。単語の一部を識別する場合は、好ましくは当該一部を塗りつぶして虫食い状にマスクする（たとえば、識別する単語がｐｅｎであればｐを塗りつぶす）のがよい。
【００３０】
その後、ＣＰＵ４０は、検出した単語の部分を識別可能な状態で、撮像画像をメインディスプレイ２に表示させる（ステップＳ６）。
なお、ステップＳ６の後に、ユーザが識別した単語をタッチ入力した場合、ＣＰＵ４０は、識別した単語を、識別前のもとの状態に戻して表示させてもよい。
【００３１】
他方、テキストのなかから登録済みの単語を検出できなかった場合は、ＣＰＵ４０は、単に撮像画像をメインディスプレイ２に表示させる（ステップＳ７）。
【００３２】
［動作例］
図４（ａ）に示すとおり、ユーザが電子辞書１のカメラ８で教科書などの印刷物８０を撮像すると、撮像画像からテキストが抽出される（ステップＳ３）。
その後、テキスト中には、図４（ｂ）の単語帳テーブル５７にｐｅｎが登録されているかどうかが判定され、単語帳テーブル５７から登録済みのｐｅｎが検出されると（ステップＳ４）、ｐｅｎの全部が塗りつぶされた状態で撮像画像がメインディスプレイ２に表示される（ステップＳ６）。
【００３３】
以上の実施形態によれば、図３のステップＳ３〜Ｓ６などに示したように、教科書などの印刷物８０をカメラ８で撮像すると、自動的に、撮像画像からテキストが抽出され、登録済みの単語が識別可能な状態で撮像画像が表示される。
そのため、ユーザは単語登録するような印刷物８０上の重要な単語に現実にマーカーを付すような作業をする必要がなく、印刷物８０と電子辞書１との両方を併用して学習効率を向上させることができる。
かかる場合に、登録済みの単語の一部が虫食い状にマスクされた状態で撮像画像が表示されれば、ユーザの学習到達度が未熟な段階にあっても、ユーザに対しヒントが与えられるため、ユーザの学習効率を向上させることができる。
【００３４】
なお、カメラ８は上記のとおり電子辞書１に対し一体で構成されてもよいし、電子辞書１とは別体で構成されてもよい。
カメラ８が電子辞書１と一体で構成された場合は、電子辞書１と印刷物８０との配置がある程度固定される。これに対し、カメラ８が電子辞書１と別体で構成された場合は、電子辞書１と印刷物８０とが離間していたり印刷物８０の向きが斜めになっていたりしても、印刷物８０の内容を表示させることができる。
【００３５】
カメラ８で撮像された撮像画像は、撮像されるたびに（シャッターを切るごとに）静止画として表示されてもよいし、ライブビュー表示されてもよい。
静止画として表示された場合は、その撮像画像の範囲内で印刷物８０の内容が表示される。これに対し、ライブビュー表示される場合は、印刷物８０の内容が長文であっても、シャッターを切るという手間をかけずに、連続的にその内容を表示させることができる。
カメラ８で撮像された撮像画像に代えて、他の電子機器のディスプレイに表示されるネット画像などの表示画像が情報表示処理の対象とされてもよい。
【００３６】
［第２の実施形態］
第２の実施形態は下記の点で第１の実施形態と異なっている。
【００３７】
［情報表示処理］
図５に示すとおり、ステップＳ６の後に、ＣＰＵ４０は、識別した単語を含む文字列を認識し、当該文字列にアンダーラインを引いて撮像画像を表示させる（ステップＳ１０）。
ステップＳ１０では、ＣＰＵ４０は、文字列の認識に関し、日本文や漢文などであれば、識別した単語の直前の句点の後から直後の句点までを認識し、英文などであれば、識別した単語の直前のピリオドの後から直後のピリオドまでを認識する。文字列の認識は適宜変更可能であって、識別した単語を含む一定数の文字を認識するようにしてもよく、たとえば識別した単語の前後２０文字を認識するようにしてもよい。
【００３８】
その後、ＣＰＵ４０は、ユーザによりキャプチャーキー６ｆが押下されたかどうかを繰り返し判定し（ステップＳ１１）、キャプチャーキー６ｆが押下された場合に、アンダーライン引きした文字列を取り込み暗記カードに登録する（ステップＳ１２）。
ステップＳ１２では、識別した単語と、アンダーライン引きした文字列との両方を、１対１で対応付けた状態で取り込んで暗記カードテーブル５８に蓄積記憶させ、アンダーライン引きした文字列を暗記カードテーブル５８に登録する。
【００３９】
その後、図６に示すとおり、ＣＰＵ４０は、ユーザ操作を受けて暗記カードテーブル５８から暗記カードを読み出し（ステップＳ２０）、識別した単語の部分を空欄とした状態でアンダーライン引きした文字列を、メインディスプレイ２に表示させる（ステップＳ２１）。空欄とする対象は単語の一部のみであってもよいし、全部であってもよい。
なお、ステップＳ１２とステップＳ２０との間にはタイムラグがあってもよく、第２の実施形態の情報表示処理では通常、複数または多数の文字列が暗記カードテーブル５８に登録された状態で、ステップＳ２０以降の処理が実行されることが想定される。
【００４０】
その後、ＣＰＵ４０は、空欄に対しユーザによる文字入力があるかどうかを繰り返し判定し（ステップＳ２２）、ユーザによる文字入力があった場合に、ユーザの入力文字と識別した単語とが一致するかどうかを確認し、一致したときは正解である旨を、一致しないときは不正解である旨を、サブディスプレイ４に表示させる（ステップＳ２３）。
【００４１】
［動作例］
図７（ａ）に示すとおり、ユーザが電子辞書１のカメラ８で教科書などの印刷物８０を撮像すると、撮像画像からテキストが抽出される（ステップＳ３）。
その後、テキスト中には、図７（ｂ）の単語帳テーブル５７に源頼朝が登録されているかどうかが判定され、単語帳テーブル５７から登録済みの源頼朝が検出されると（ステップＳ４）、源頼朝の全部が反転されかつ源頼朝を含む文字列にアンダーラインが引かれた状態で撮像画像がメインディスプレイ２に表示される（ステップＳ６）。
その後、ユーザが電子辞書１のキャプチャーキー６ｆを押下すると、アンダーライン引きされた文字列が暗記カードに登録される（ステップＳ１２）。
【００４２】
その後、ユーザが学習帳キー６ｅを押下して暗記カードを用いた自学自習の操作を行うと、図７（ｃ）に示すとおり、源頼朝に対応する部分が空欄とされた状態でアンダーライン引きされた文字列がメインディスプレイ２に表示される（ステップＳ２１）。
その後、ユーザが空欄に文字を入力すると、図７（ｄ）に示すとおり、その入力文字が源頼朝でユーザが正しく解答できたときは正解である旨（ＯＫ）が、間違いだったときは不正解である旨（ＮＧ）が、サブディスプレイ４に表示される（ステップＳ２３）。
【００４３】
以上の実施形態によれば、図５のステップＳ１１〜Ｓ１２などに示したように、キャプチャーキー６ｆが押下されると、登録済みの単語を含む文字列が暗記カードに登録されるから、登録済みの単語のみならず、その前後の文字列をも学習対象として特定的に利用することができ、ユーザの学習効率を向上させることができる。
かかる場合に、図６のステップＳ２０〜Ｓ２３などに示したように、学習帳キー６ｅが押下され現実に暗記カードを用いた自学自習の操作がなされると、登録済みの単語が空欄で文字列が表示されるから、単なる単語学習にとどまらずに、文字列の内容を踏まえた学習をすることができ、ユーザの学習効率を向上させることができる。
【００４４】
なお、本発明を適用可能な実施形態は、上述した実施形態や変形例に限定されることなく、本発明の趣旨を逸脱しない範囲で適宜変更可能である。
【００４５】
たとえば、本発明にかかる情報表示装置を電子辞書１に適用した例を説明したが、本発明が適用可能なものはこのような製品に限定されず、タブレットパソコン（またはスマートフォン）や、デスクトップパソコン、ノートパソコン、携帯電話、ＰＤＡ（Personal Digital Assistant）、ゲーム機などの電子機器全般に適用可能である。
本発明にかかる情報表示プログラムも、電子辞書１を含むこれら電子機器に対して着脱可能なメモリカード、ＣＤなどに記憶されることとしてもよいし、キャリアウエーブ(搬送波)を含む通信回線を介して提供されてもよい。
【００４６】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲のとおりである。
〔付記〕
［請求項１］
単語を登録する登録手段と、
撮像された撮像画像を取得する取得手段と、
前記撮像画像を表示する表示手段と、
前記撮像画像のなかから前記登録手段により登録済みの単語を検出する検出手段と、
前記撮像画像を前記表示手段に表示させる際に、前記検出手段により検出された単語の部分を識別可能な状態で表示させる表示制御手段と、
を備えることを特徴とする情報表示装置。
［請求項２］
請求項１に記載の情報表示装置において、
前記表示制御手段が、
前記検出手段により検出された単語の一部を虫食い状にマスクした状態で、前記撮影画像を表示させることを特徴とする情報表示装置。
［請求項３］
請求項１に記載の情報表示装置において、
前記表示制御手段が、
前記検出手段により検出された単語を含む文字列を認識し、前記検出手段により検出された単語の部分を識別可能な状態で、前記文字列を表示させることを特徴とする情報表示装置。
［請求項４］
請求項３に記載の情報表示装置において、
前記登録手段が、
前記文字列を登録することを特徴とする情報表示装置。
［請求項５］
請求項４に記載の情報表示装置において、
前記表示制御手段が、
前記登録手段により登録された前記文字列を表示させる際に、当該文字列における前記検出手段により検出された単語の部分を空欄とした状態で表示させることを特徴とする情報表示装置。
［請求項６］
請求項１〜５のいずれか一項に記載の情報表示装置において、
当該情報表示装置に対し一体または別体の撮像手段を備え、
前記取得手段が、前記撮像手段により撮像された撮像画像を取得することを特徴とする情報表示装置。
［請求項７］
請求項６に記載の情報表示装置において、
前記表示制御手段が、
前記撮像手段により撮像された前記撮像画像を、静止画として表示させるか、またはライブビュー表示させることを特徴とする情報表示装置。
［請求項８］
撮像された撮像画像を表示する表示手段を備えるコンピュータに、
単語を登録する登録機能と、
前記撮像画像を取得する取得機能と、
前記撮像画像のなかから前記登録機能により登録済みの単語を検出する検出機能と、
前記撮像画像を前記表示手段に表示させる際に、前記検出機能により検出された単語の部分を識別可能な状態で表示させる表示制御機能と、
を実現させることを特徴とする情報表示プログラム。
［請求項９］
撮像された撮像画像を表示する表示手段を備えるコンピュータを用いた情報表示方法において、
単語を登録する登録工程と、
前記撮像画像を取得する取得工程と、
前記撮像画像のなかから前記登録工程で登録済みの単語を検出する検出工程と、
前記撮像画像を前記表示手段に表示させる際に、前記検出工程により検出された単語の部分を識別可能な状態で表示させる表示制御工程と、
を備えることを特徴とする情報表示方法。
【符号の説明】
【００４７】
１  電子辞書
２  メインディスプレイ
４０  ＣＰＵ
【図１】
2016062307.tif 000003
【図２】
2016062307.tif 000004
【図３】
2016062307.tif 000005
【図４】
2016062307.tif 000006
【図５】
2016062307.tif 000007
【図６】
2016062307.tif 000008
【図７】
2016062307.tif 000009